(57)【特許請求の範囲】
【請求項１】
水平に形成されたゲームフィールドの前端に垂下部を有し、前記垂下部にエッジプレートを取付け、前記ゲームフィールドの上面に載置したメダルを前記ゲームフィールド上でプッシャープレートを進退動させて前記ゲームフィールド前端から落下させるメダルプッシャーゲーム機のエッジプレート調整機構であって、
前記エッジプレートは、前記垂下部の表面側に上下移動可能に取り付けられ、
前記エッジプレートを前記垂下部に沿って上下方向に移動させると共に、移動位置で前記エッジプレートを保持可能にする高さ調整機構と、
前記高さ調整機構による高さ調整位置で前記ゲームフィールドに対して前記エッジプレートを固定する固定手段とを有し、
前記高さ調整機構は、前記垂下部の裏面側に一端を前記垂下部より突出させて設けられた水平移動可能なスライドプレートを有し、
前記スライドプレートは、前記ゲームフィールドと係合して前記スライドプレートを水平移動可能にする水平移動溝と、前記エッジプレートと係合し前記水平移動溝による水平移動に伴って前記エッジプレートを上下方向に昇降させる傾斜状態の傾斜移動溝とを有し、
前記固定手段は、前記垂下部の表面側から操作可能に、かつ、前記垂下部に対して上下動可能に前記垂下部を貫通して設けられることを特徴とするメダルプッシャーゲーム機のエッジプレート調整機構。
【請求項２】
請求項１において、
前記固定手段は、前記エッジプレートの前面側から、前記エッジプレートに形成した取付孔及び前記垂下部に形成した上下方向にわたる長孔に挿通されるねじと、
前記ねじに前記垂下部の裏側から螺合されるナットとを有することを特徴とするメダルプッシャーゲーム機のエッジプレート調整機構。
【請求項３】
請求項１または２において、
前記高さ調整機構は、前記エッジプレートの調整高さ状態を示す調整ゲージを有することを特徴とするメダルプッシャーゲーム機のエッジプレート調整機構。
【発明の詳細な説明】
【０００１】
【発明の属する技術分野】
本発明は、プッシャプレートを進退動させてゲームフィールド前端のエッジプレートを乗り越えてゲームフィールド上のメダルを落下させるメダルプッシャーゲーム機のエッジプレート調整機構に関する。
【０００２】
【背景技術及び発明が解決しようとする課題】
一般に、メダルプッシャーゲーム機においては、ゲームフィールドの前端にエッジプレートを取り付け、このエッジプレートを乗り越えてゲームフィールド上のメダルを落下させるようにしている。
【０００３】
このエッジプレートは、ゲームフィールドからの突出高さが低すぎるとメダルが落ちやすくなって、払い出し確率が大きくなり、逆に、突出高さが高くなると、メダルが落ちにくくなって、払い出し確率が小さくなるので、このエッジプレートの高さ調整は重要となってくる。
【０００４】
このため、エッジプレートのゲームフィールド前端の取付孔を上下方向に長い長孔にしてエッジプレートの取り付け高さを調整できるようにしている。
【０００５】
しかし、このエッジプレートの高さ調整は微妙な調整が必要で、手間がかかり、誰でも簡単にできるものではなく、熟練者に頼っていた。
【０００６】
また、エッジプレートが取り付けられた状態から、エッジプレートの高さ調整を行おうとする場合、例えば、エッジプレートの取付ねじを弛めると、取付孔が長孔になっているために、エッジプレートが現在の取付位置から下がってしまって、基準とすべき高さが不明になってしまい、一から高さ調整をやり直さなければならず、極めて手間のかかるものである。
【０００７】
本発明の目的は、エッジプレートの高さ調整を行おうとする場合でも、エッジプレートが取付位置から下がることがなく、基準とすべき高さを確保した状態で高さ調整ができ、しかも、熟練者に頼ることなく、誰でも簡単に高さ調整を行うことのできるメダルプッシャーゲーム機のエッジプレート調整機構を提供することにある。
【０００８】
【課題を解決するための手段】
前記目的を達成するため、本発明のメダルプッシャーゲーム機のエッジプレート調整機構は、水平に形成されたゲームフィールドの前端に垂下部を有し、前記垂下部にエッジプレートを取付け、前記ゲームフィールドの上面に載置したメダルを前記ゲームフィールド上でプッシャープレートを進退動させて前記ゲームフィールド前端から落下させるメダルプッシャーゲーム機のエッジプレート調整機構であって、
前記エッジプレートは、前記垂下部の表面側に上下移動可能に取り付けられ、
前記エッジプレートを前記垂下部に沿って上下方向に移動させると共に、移動位置で前記エッジプレートを保持可能にする高さ調整機構と、
前記高さ調整機構による高さ調整位置で前記ゲームフィールドに対して前記エッジプレートを固定する固定手段とを有し、
前記高さ調整機構は、前記垂下部の裏面側に一端を前記垂下部より突出させて設けられた水平移動可能なスライドプレートを有し、
前記スライドプレートは、前記ゲームフィールドと係合して前記スライドプレートを水平移動可能にする水平移動溝と、前記エッジプレートと係合し前記水平移動溝による水平移動に伴って前記エッジプレートを上下方向に昇降させる傾斜状態の傾斜移動溝とを有し、
前記固定手段は、前記垂下部の表面側から操作可能に、かつ、前記垂下部に対して上下動可能に前記垂下部を貫通して設けられることを特徴とする。
【０００９】
本発明によれば、高さ調整機構がエッジプレートの移動位置でエッジプレートを保持するため、エッジプレートの高さ調整を行おうとする場合に、ゲームフィールドに対してエッジプレートを固定する固定手段を弛めた場合でも、高さ調整機構によってエッジプレートの高さ位置が保持されることとなり、現状の高さ位置を基準としてエッジプレートの高さ調整を行うことができ、一から高さ調整をやり直すという手間を省略することができ、しかも、熟練者に頼ることなく、誰でも簡単に高さ調整を行うことができる。
【００１０】
【００１１】
特に、水平移動溝を介してスライドプレートを水平移動させるだけで、傾斜移動溝に沿ってエッジプレートを昇降させることができ、容易にエッジプレートの高さ調整を行うことができる。
【００１２】
また、エッジプレートは所定の高さ位置で水平移動溝によって保持されることとなり、基準とすべき高さを確保した状態で高さ調整を行うことができる。
【００１３】
本発明においては、前記固定手段は、前記エッジプレートの前面側から、前記エッジプレートに形成した取付孔及び前記垂下部に形成した上下方向にわたる長孔に挿通されるねじと、
前記ねじに前記垂下部の裏側から螺合されるナットとを有するものとすることができる。
【００１４】
【００１５】
【００１６】
さらに、本発明においては、前記高さ調整機構は、前記エッジプレートの調整高さ状態を示す調整ゲージを有するものとすることができる。
【００１７】
このような構成とすることにより、調整ゲージを見ながらエッジプレートの高さ調整を行うことができるため、熟練者に頼ることなく、誰でも簡単に高さ調整を行うことができる。
【００１８】
【発明の実施の形態】
以下、本発明の実施の形態について、図面を参照して詳細に説明する。
【００１９】
図１〜図５は、本発明の一実施の形態に係るエッジプレート調整機構を備えたメダルプッシャーゲーム装置を示す図である。
【００２０】
このメダルプッシャーゲーム装置１０は、図１の正面から見た斜視図に示すように、筐体１２内の正面上部にゲーム盤面１４が設けられ、このゲーム盤面１４の下端位置に前後方向で往復移動を行うプッシャープレート１６を有するメダル載置用のゲームフィールド１８が設けられている。
【００２１】
また、筐体１２の上下方向略中央前方には操作部２０が設けられ、この操作部２０にメダル投入口２２及びメダル３０を貯留するメダル貯留部２５が設けられ、このメダル貯留部２５に筐体１２内のメダル３０を払い出すための払出口２４が、操作部２０の上方に隣接するように筐体１２の前面に設けられている。
【００２２】
ゲーム盤面１４には、表示部２６と、チャッカー部２８と、チャッカー部２８へのメダル３０の進路を邪魔する複数の釘３２と、ゲーム盤面１４の両側上方に配置された放出口３６から放出されたメダル３０の放出方向を変更するワイパー３４とが設けられている。
【００２３】
放出口３６から放出されたメダル３０は、ワイパー３４によって振り分けられ、釘３２によって邪魔されながら下方へと移動し、メダル３０がチャッカー部２８を通過すると、チャッカー部２８の内側に設けたセンサー（図示せず）がメダル３０の通過を検出する。
【００２４】
そして、メダル３０が通過したチャッカー２８の位置に応じて、表示部２６に表示されるゲームが進行し、このゲームの結果に応じて、筐体１２内に設置したメダル払い出し用の払出ホッパー（図示せず）からメダル３０がゲームフィールド１８上に払い出されるようになっている。
【００２５】
ゲームフィールド１８上に払い出されたメダル３０は、プッシャープレート１６の往復移動によって、ゲームフィールド１８上から落下して払出口２４から払い出され、メダル貯留部２５に貯留されるようになっている。
【００２６】
なお、筐体１２の側部で、操作部２０の下部位置には、メダル投入口２２から投入されたメダル３０の返却口３８が設けられている。
【００２７】
また、ゲームフィールド１８の前端には、エッジプレート４０が取り付けられている。
【００２８】
このエッジプレート４０には、図２〜図５にしめすように、エッジプレート調整機構４２が設けられている。
【００２９】
このエッジプレート調整機構４２は、高さ調整機構４４と、固定手段４６とを備えている。
【００３０】
高さ調整機構４４は、ゲームフィールド１８の前端裏面側に水平移動可能なスライドプレート４８を有している。
【００３１】
このスライドプレート４８は、一対の水平移動溝５０と、一対の傾斜移動溝５２とを有している。
【００３２】
各水平移動溝５０は、ねじ５４が挿通され、このねじ５４がゲームフィールド１８の前端に設けられた垂下部５６の裏面に固定されたナット５８に取り付けられている。
【００３３】
従って、この水平移動溝５０がねじ５４を介してゲームフィールド１８と係合し、スライドプレート４８を水平移動可能にしている。
【００３４】
各傾斜移動溝５２は、図３〜図５に示すように、例えば、右上がり傾斜状態に形成され、この傾斜移動溝５２にねじ６０を挿通し、このねじ６０を垂下部５６に形成した上下方向にわたる長孔６２を貫通させ、さらにエッジプレート４０の裏面に固定したナット６４に取り付けるようにしている。
【００３５】
従って、傾斜移動溝５２はねじ６０を介してエッジプレート４０と係合し、水平移動溝５０によるスライドプレート４８の水平移動に伴ってエッジプレート４０を昇降させる状態となっている。
【００３６】
固定手段４６は、垂下部５６の裏面側でスライドプレート４８の上方に配置された固定プレート６６を有している。
【００３７】
この固定プレート６６には、３ヶ所の位置にナット６８が取り付けられており、各ナット６８には、垂下部５６に形成した上下方向にわたる長孔７０及びエッジプレート４０に形成した取付孔７２を貫通してエッジプレート４０の前面側からねじ７４が取り付けられるようになっている。
【００３８】
従って、固定手段４６のねじ７４を弛め、高さ調整機構４４のスライドプレート４８が水平移動可能な状態とし、この状態でスライドプレート４８を水平方向に動かすと、スライドプレート４８は水平移動溝５０によって水平方向に移動し、このスライドプレート４８の水平方向の移動に伴ってエッジプレート４０がゲームフィールド１８の前端面に沿って垂直方向に移動することとなる。
【００３９】
このスライドプレート４８の水平移動によるエッジプレート４０の高さ調整状態を図５に示している。
【００４０】
同図（１）は、エッジプレート４０が高さ方向で中央位置にある状態を示しており、この状態でねじ５４及び６０は水平移動溝５０及び傾斜移動溝５２の中央に位置した状態となっている。
【００４１】
同図（２）は、スライドプレート４８を最も右側に水平移動させた状態で、この状態でエッジプレート４０は最も低い位置になる。
【００４２】
同図（３）は、スライドプレート４８を最も左側に水平移動させた状態で、この状態でエッジプレート４０は最も高い位置になる。
【００４３】
この高さ調整機構４４による高さ調整を行った状態で、スライドプレート４８から手を離しても、スライドプレート４８の水平移動溝５０がねじ５４と係合した状態となっているため、移動位置でエッジプレート４０をそのまま保持することとなる。
【００４４】
従って、一旦高さ調整機構４４によるエッジプレート４０の高さ調整を行った後、再度エッジプレート４０の高さ調整を行おうとした場合でも、エッジプレート４０の高さはそのままの状態で保持されるため、元の高さ位置を基準にエッジプレート４０の高さ調整を行うことができる。
【００４５】
そして、高さ調整機構４４による高さ調整を終了した後、固定手段４６のねじ７４を締め付けることで高さ調整位置でゲームフィールド１８に対してエッジプレート４０を固定することができる。
【００４６】
また、高さ調整機構４４には、図２に示すように、スライドプレート４８の端部と対応するゲームフィールド１８側の部材に複数の目盛７６を有する調整ゲージ７８が設けられており、この調整ゲージ７８を見ながらスライドプレート４８を水平移動させることで、容易かつ確実に微妙なエッジプレート４０の高さ調整を行うことができる。
【００４７】
【００４８】
【００４９】
【００５０】
【００５１】
【００５２】
【００５３】
【００５４】
【００５５】
【００５６】
【００５７】
【００５８】
【００５９】
本発明は、前記実施の形態に限定されるものではなく、本発明の要旨の範囲内において種々の形態に変形可能である。
【００６０】
例えば、前記実施の形態では、ゲーム盤面及びゲームフィールドの双方を有するメダルプッシャーゲーム装置について説明したが、ゲーム盤面を有しないメダルプッシャーゲーム装置に適用することも可能である。
【図面の簡単な説明】
【図１】  本発明の一実施の形態に係るエッジプレート調整機構を有するメダルプッシャーゲーム装置を示す斜視図である。
【図２】  エッジプレート調整機構を有するゲームフィールドの平面図である。
【図３】  図２のエッジプレート調整機構の斜視図である。
【図４】  図２のエッジプレート調整機構の分解組立図である。
【図５】  （１）はエッジプレート調整機構によってエッジプレートを高さ方向の中央位置に調整した状態を示す正面図、（２）はエッジプレートを最下位置に調整した状態を示す正面図、そして（３）はエッジプレートを最上位置に調整した状態を示す正面図である。
【符号の説明】
１０  メダルプッシャーゲーム装置
１２  筐体
１４  ゲーム盤面
１８  ゲームフィールド
２０  操作部
２２  メダル投入口
２４  メダル払出口
４０  エッジプレート
４２  エッジプレート調整機構
４４  高さ調整機構
４６  固定手段
４８  スライドプレート
５０  水平移動溝
５２  傾斜移動溝
５４、６０、７４  ねじ
７８  調整ゲージ
【図１】
0003900920.tif 000002
【図２】
0003900920.tif 000003
【図３】
0003900920.tif 000004
【図４】
0003900920.tif 000005
【図５】
0003900920.tif 000006